(57)【特許請求の範囲】
【請求項１】
本体部分の前方に相手端子との接触部であるタブ部を持ち、
前記本体部分と前記タブ部との間には前記本体部分から前記タブ部に向けて底部接続壁が斜め上方に向けて延びており、かつこの底部接続壁には軸方向に沿って補強用のリブが内方へ向けて凹み形成されてなる雄端子金具と、
この雄端子金具が挿入可能な雄コネクタハウジングとからなる雄コネクタであって、
前記雄コネクタハウジングはフード部を有するとともにこのフード部の奥壁には前記タブ部を貫通させるための貫通孔が貫通し、かつこの貫通孔の入り口部分には貫通孔へ向けて先細りテーパー状をなす誘い込み部が形成され、またこの誘い込み部において前記リブと前記雄端子金具の挿入方向で対応する位置には補強用の突条が突出形成され、前記雄端子金具の挿入によって前記突条が前記リブの凹み部分に嵌合することを特徴とする雄コネクタ。
【発明の詳細な説明】
【０００１】
【発明の属する技術分野】
本発明は、雄端子金具が装着される雄コネクタに関する。
【０００２】
【従来の技術】
雌端子金具に挿入して電気的な接続を行う雄端子金具として、図７に示すようなタブ部２を有するタイプのものがある。
この雄端子金具１は、１枚の金属板を所定の展開形状に打ち抜き成形したものを折り曲げて形成されており、本体部３からは、平板状のタブ部２が軸方向に沿って前方へ片持ち状に延出されて形成されている。
【０００３】
【発明が解決しようとする課題】
前記タブ部２は、本体部３から軸及び厚みが絞られながら連続しているため、本体部３との境界部分に過大な応力が集中するとタブ部２全体はここから曲がってしまう恐れがあった。
本発明は上記のような事情に基づいて完成されたものであって、タブ部と本体部との境界部分での変形が起こりにくくし、かつ雄端子金具の雄コネクタハウジングへの円滑な挿入作業を可能にする雄コネクタを提供することを目的とする。
【０００４】
【課題を解決するための手段】
上記の目的を達成するための手段として、請求項１の発明は、本体部分の前方に相手端子との接触部であるタブ部を持ち、前記本体部分と前記タブ部との間には前記本体部分から前記タブ部に向けて底部接続壁が斜め上方に向けて延びており、かつこの底部接続壁には軸方向に沿って補強用のリブが内方へ向けて凹み形成されてなる雄端子金具と、この雄端子金具が挿入可能な雄コネクタハウジングとからなる雄コネクタであって、前記雄コネクタハウジングはフード部を有するとともにこのフード部の奥壁には前記タブ部を貫通させるための貫通孔が貫通し、かつこの貫通孔の入り口部分には貫通孔へ向けて先細りテーパー状をなす誘い込み部が形成され、またこの誘い込み部において前記リブと前記雄端子金具の挿入方向で対応する位置には補強用の突条が突出形成され、前記雄端子金具の挿入によって前記突条が前記リブの凹み部分に嵌合するところに特徴を有する。
【０００５】
【発明の作用及び効果】
前記タブ部と本体部分にかけての領域には軸方向に沿ってリブが形成されていることにより、タブ部と本体部との境界部分の補強が可能となった。そのためタブ部は、タブ部と本体部との境界部分に応力が集中しても変形が起こりにくい。  前記雄端子金具を雄コネクタハウジング内に装着する場合に、雄端子金具をタブ部の先端から雄コネクタハウジング内部に挿入すると、雄コネクタハウジングの内壁面に案内されて装着が進む。この時、前記補強用のリブが雄端子金具の内方へ向けて設けられているため、雄コネクタハウジングの内壁面に干渉して案内を妨げることを回避できる。よって、雄端子金具の雄コネクタハウジング内への円滑な挿入作業が可能となった。さらにこのリブと対応する内壁面に、リブの凹み部分に嵌り込むような突条を設けたことで、内壁面の補強も図ることができる。
【０００７】
【発明の実施の形態】
以下、本発明の実施形態を添付図面に基づいて説明する。
＜参考例＞
まず、本発明の参考例を図１ないし図３によって説明する。図１において、１０は金属製の雄端子金具である。この雄端子金具１０は、金属の１枚板を所定の展開形状に打ち抜いたものを折り曲げて形成したものであり、タブ部１１、本体部１２及びバレル部１３、１４とから構成されている。
【０００８】
図３に示すように、本体部１２の後方にはバレル部１３、１４が設けられ、図示しない電線の芯線部を圧着するワイヤーバレル１３と電線被覆の先端を圧着するインシュレーションバレル１４に分かれている。前記本体部１２はボックス状に形成されており、天井面の長さ方向中央部に突き合わせ面がくるように折り曲げられている。
【０００９】
この本体部１２の前方にはタブ部１１が連続して配されている。このタブ部１１も長さ方向の両側縁部を上面中央に向けて折り返され、端縁同士が幅方向中央で中心軸線に沿って突き合わされるようにして密着曲げされている。また、タブ部１１の先端のみは後方へ密着状に折り返されている。さらに、本体部１２とタブ部１１とは下面及び両側面が連続しており、つまり本体部１２とはそれぞれ底部接続壁１６及び側部接続壁１７を介して連続している。底部接続壁１６は本体部１２から斜め上方へ向けて延びており、これによってこの実施形態ではタブ部１１は本体部１２の底面から浮いた高さ位置に保持されている。
【００１０】
また、底部接続壁１６における幅方向中央部には補強用のリブ１５が外面側への叩き出しによって軸線方向に沿って形成されている。リブ１５の後側の端部は図１に示すように、本体部１２の前端位置を越えてそれよりやや後方まで至り、また前側の端部はタブ部１１の後端位置よりやや前方に至る範囲に亘って形成されている。さらに、リブ１５は図２に示すように、軸線方向と直交する方向に切った断面形状がＵ字状に湾曲した形状をなすように形成されており、コネクタハウジングへの装着の際の挿入抵抗の低減が図られている。
【００１１】
前記のように構成された参考例によれば、タブ部１１と本体部１２にかけて突状にリブ１５が設けられたことにより、その境界部分の軸方向での補強が可能となる。したがって、タブ部１１と本体部１２の境界部分に応力が集中した場合でも変形に至る事態を緩和することができる。
【００１２】
＜第１実施形態＞
次に、本発明の第１実施形態を図４ないし図６によって説明する。前記参考例との相違点は前記リブ１５の形成方向に関する点である。その他の構成については前記参考例と同じであるため、同じ構成については、同一符号を付し、構造、作用及び効果の説明は省略する。
【００１３】
参考例においては、リブ１５を雄端子金具１０の外方に突出させて設けた。しかし、図４に示すように、雄端子金具１０を雄コネクタハウジング２７に挿入して使用する場合、リブ１５が外面に突出するものでは以下のような点が懸念される。
【００１４】
雄コネクタハウジング２７ではフード部２２の奥壁にタブ部１１を貫通させるための貫通孔２１が貫通している。また、この貫通孔２１の入り口部分ではこの貫通孔２１に向けて先細りテーパー状に形成された誘い込み部２３が形成されるのが一般的であるが、この誘い込み部２３にリブ１５が引掛かり、タブ部１１がスムーズに貫通孔２１へと差込まれないことが懸念される。
【００１５】
第１実施形態では、上記に鑑みてリブ２４は外方へ叩き出して形成するのでなく、内方へ叩き込んで形成するようにしている（図５、図６参照）。これにより、誘い込み部２３等との干渉が回避され、スムーズにタブ部１１の差込みをなしうる、という効果が得られる。
【００１６】
また、前記リブ２４を内方へ叩き込んで作った場合の効果として、次のことが挙げられる。例えば、小型の雄コネクタ２０では、雄コネクタハウジング２７内のキャビティ２６の壁の厚みが十分には確保できない。そうした場合に、仮に外方へ突出したリブ１５の形式をとると、強い力でリブ１５があたると壁を突き破る恐れがある。この対策として、溝等を設けてリブ１５を回避することも考えられるが、薄肉化したキャビティ２６壁にはこのような対策は講じがたい。その点、リブ２４のように内側に叩き込んだものであれば、逆にその叩き込んだ箇所に嵌り込むような突条２５を設けることもでき、これによって薄肉化したキャビティ２６壁の補強も図れる。さらに、リブ２４と突条２５とが嵌合することで、雄端子金具１０の振れ止めにもなり、雄コネクタハウジング２７と雄端子金具１０との安定した装着も図ることができる。
【００１７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００１８】
（１）前記参考例では、リブは一条だけ設けたが、複数条形成してもよい。
（２）前記リブは、断面形状がＵ字状に湾曲した形状をなすように形成されたが、Ｖ字形状にしてもよい。
（３）前記リブは、本体部の前端位置よりやや後方からタブ部の後端のやや前方まで軸方向に沿って連続した形状で形成されているが、断続的に並ぶ複数の点状の突起により形成してもよい。
【図面の簡単な説明】
【図１】  参考例における雄端子金具の側面図
【図２】  図１におけるＡ−Ａ線断面図
【図３】  雄端子金具の斜視図
【図４】  参考例の雄端子金具が雄コネクタハウジングに装着される様子を示す断面図
【図５】  第１実施形態における雄端子金具が雄コネクタハウジングに装着される様子を示す断面図
【図６】  リブと突条が嵌り合った状態を示す断面図
【図７】  従来例における雄端子金具の側面図
【符号の説明】
１０…雄端子金具
１１…タブ部
１２…本体部
１５,２４…リブ
２０…雄コネクタ
２５…突条
２７…雄コネクタハウジング
【図１】
0003757801.tif 000002
【図２】
0003757801.tif 000003
【図３】
0003757801.tif 000004
【図４】
0003757801.tif 000005
【図５】
0003757801.tif 000006
【図６】
0003757801.tif 000007
【図７】
0003757801.tif 000008